(57)【要約】【課題】簡易な操作で必要なセットアップを可能とすること。【解決手段】ＡＶレシーバー１は、メインルームモードの操作を受け付けるメインルーム操作モードと、Ｚｏｎｅ２ルームモードの操作を受け付けるＺｏｎｅ２ルーム操作モードと、を有するリモートコントローラー１８と、ＡＶレシーバー１に設けられた受信部１３と、ＡＶレシーバー１とは別に設けられた受信機１４と、受信部１３が、Ｚｏｎｅ２ルームモードのセットアップメニューの起動を要求するリモコンコードを受信した場合、Ｚｏｎｅ２ルームモードのセットアップメニューを起動するマイクロコンピューター２と、を備える。【選択図】図３
2016225763.tif 000002
【特許請求の範囲】
【請求項１】
第１ルームに設置されるスピーカーに音声信号を出力する第１ルームモードと、第２ルームに設置されるスピーカーに音声信号を出力する第２ルームモードと、を有する音声処理装置であって、
前記第１ルームモードの操作を受け付ける第１ルーム操作モードと、前記第２ルームモードの操作を受け付ける第２ルーム操作モードと、を有するリモートコントローラーと、
自装置に設けられた第１受信部と、
自装置とは別に設けられた第２受信部と、
前記第１受信部が、前記第２ルームモードのセットアップメニューの起動を要求するコードを受信した場合、前記第２ルームモードのセットアップメニューを起動する制御部と、
を備えることを特徴とする音声処理装置。
【請求項２】
前記制御部は、前記第２受信部が、前記第２ルームモードのセットアップメニューの起動を要求するコードを受信した場合、前記第２ルームモードのセットアップメニューを起動しないことを特徴とする請求項１に記載の音声処理装置。
【請求項３】
自装置とは別に設けられた第３受信部をさらに備え、
前記第１ルームに設置された外部の表示装置と接続され、
前記第１受信部は、遮蔽されており、
前記第２受信部は、前記第１ルームに設置され、
前記第３受信部は、前記第２ルームに設置され、
前記制御部は、前記第２受信部が、前記第２ルームモードのセットアップメニューの起動を要求するコードを受信した場合、前記表示装置に前記第２ルームモードのセットアップメニューを表示することにより、前記第２ルームモードのセットアップメニューを起動することを特徴とする請求項１に記載の音声処理装置。
【請求項４】
前記制御部は、前記第３受信部が、前記第２ルームモードのセットアップメニューの起動を要求するコードを受信した場合、前記第２ルームモードのセットアップメニューを起動しないことを特徴とする請求項３に記載の音声処理装置。
【請求項５】
外部の表示装置と接続され、
前記制御部は、前記第１受信部が、前記第２ルームモードのセットアップメニューの起動を要求するコードを受信した場合、前記表示装置に前記第２ルームモードのセットアップメニューを表示することにより、前記第２ルームモードのセットアップメニューを起動することを特徴とする請求項１又は２に記載の音声処理装置。
【請求項６】
表示部をさらに備え、
前記制御部は、前記第１受信部が、前記第２ルームモードのセットアップメニューの起動を要求するコードを受信した場合、前記表示部に前記第２ルームモードのセットアップメニューを表示することにより、前記第２ルームモードのセットアップメニューを起動することを特徴とする請求項１又は２に記載の音声処理装置。
【発明の詳細な説明】
【技術分野】
【０００１】
本発明は、音声信号に増幅等の音声処理を行う音声処理装置に関する。
【背景技術】
【０００２】
音声処理装置として、例えば、音声信号に増幅等の音声処理を行ってスピーカーに出力するＡＶレシーバーが知られている。特許文献１に記載のＡＶレシーバーは、メインルーム（第１ルーム）に設置されるメインスピーカーへ音声信号を出力するメインルームモード（第１ルームモード）、Ｚｏｎｅ２ルーム（第２ルーム）に設置されるＺｏｎｅ２スピーカーへ音声信号を出力するＺｏｎｅ２ルームモード（第２ルームモード）を有している。ＡＶレシーバーとメインスピーカーとは、メインルームに設置され、Ｚｏｎｅ２スピーカーは、Ｚｏｎｅ２ルームに設置される。ＡＶレシーバーが備えるリモートコントローラーは、メインルームモードの操作を受け付けるメインルーム操作モードと、Ｚｏｎｅ２ルームモードの操作を受け付けるＺｏｎｅ２ルーム操作モードと、を有している。
【先行技術文献】
【特許文献】
【０００３】
【特許文献１】特開２０１３−０４６２６５号公報
【発明の概要】
【発明が解決しようとする課題】
【０００４】
従来のＡＶレシーバーにおいては、Ｚｏｎｅ２ルーム操作モードで操作しているときに、必要なセットアップを行う場合、メインルーム操作モードに切り替え、メインルームモードでＡＶレシーバーを起動して、セットアップメニューから必要なセットアップを行っていた。このため、操作が煩雑になっているという問題がある。
【０００５】
本発明の目的は、簡易な操作で必要なセットアップを可能とすることである。
【課題を解決するための手段】
【０００６】
第１の発明の音声処理装置は、第１ルームに設置されるスピーカーに音声信号を出力する第１ルームモードと、第２ルームに設置されるスピーカーに音声信号を出力する第２ルームモードと、を有する音声処理装置であって、前記第１ルームモードの操作を受け付ける第１ルーム操作モードと、前記第２ルームモードの操作を受け付ける第２ルーム操作モードと、を有するリモートコントローラーと、自装置に設けられた第１受信部と、自装置とは別に設けられた第２受信部と、前記第１受信部が、前記第２ルームモードのセットアップメニューの起動を要求するコードを受信した場合、前記第２ルームモードのセットアップメニューを起動する制御部と、を備えることを特徴とする。
【０００７】
本発明では、制御部は、第１受信部が、第２ルームモードのセットアップメニューの起動を要求するコードを受信した場合、第２ルームモードのセットアップメニューを起動する。従って、ユーザーは、操作モードの切り替えを行うことなく、リモートコントローラーから、第２ルームモードのセットアップメニューの起動を要求するコードを送信し、第２ルームモードのセットアップメニューを起動することにより、第２ルームモードのセットアップを行うことができる。このように、本発明によれば、簡易な操作で必要なセットアップを行うことができる。
【０００８】
第２の発明の音声処理装置は、第１の発明の音声処理装置において、前記制御部は、前記第２受信部が、前記第２ルームモードのセットアップメニューの起動を要求するコードを受信した場合、前記第２ルームモードのセットアップメニューを起動しないことを特徴とする。
【０００９】
本発明では、制御部は、第２受信部が、第２ルームモードのセットアップメニューの起動を要求するコマンドを受信した場合、第２ルームモードのセットアップメニューを起動しない。例えば、第２受信部が、第２ルームに設置されており、第２受信部が、第２ルームモードのセットアップメニューの起動を要求するコマンドを受信した場合、ユーザーは、第２ルームにいて、第１ルームにはいないため、第２ルームモードのセットアップメニューを起動してもユーザーには見えず、無意味だからである。このように、本発明によれば、不要なセットアップメニューの起動を防止することができる。
【００１０】
第３の発明の音声処理装置は、第１の発明の音声処理装置において、自装置とは別に設けられた第３受信部をさらに備え、前記第１ルームに設置された外部の表示装置と接続され、前記第１受信部は、遮蔽されており、前記第２受信部は、前記第１ルームに設置され、前記第３受信部は、前記第２ルームに設置され、前記制御部は、前記第２受信部が、前記第２ルームモードのセットアップメニューの起動を要求するコードを受信した場合、前記表示装置に前記第２ルームモードのセットアップメニューを表示することにより、前記第２ルームモードのセットアップメニューを起動することを特徴とする。
【００１１】
本発明では、制御部は、第１ルームに設置された第２受信部が、第２ルームモードのセットアップメニューの起動を要求するコードを受信した場合、第１ルームに設置された表示装置に第２ルームモードのセットアップメニューを表示することにより、第２ルームモードのセットアップメニューを起動する。従って、ユーザーは、第１ルームに設置された表示装置を確認しながら、第２ルームモードのセットアップを行うことができる。
【００１２】
第４の発明の音声処理装置は、第３の発明の音声処理装置において、前記制御部は、前記第３受信部が、前記第２ルームモードのセットアップメニューの起動を要求するコードを受信した場合、前記第２ルームモードのセットアップメニューを起動しないことを特徴とする。
【００１３】
本発明では、制御部は、第２ルームに設置された第３受信部が、第２ルームモードのセットアップメニューの起動を要求するコードを受信した場合、第２ルームモードのセットアップメニューを起動しない。第２ルームに設置された第３受信部が、第２ルームモードのセットアップメニューの起動を要求するコマンドを受信した場合、ユーザーは、第２ルームにいて、第１ルームにはいないため、第２ルームモードのセットアップメニューを起動してもユーザーには見えず、無意味だからである。このように、本発明によれば、不要なセットアップメニューの起動を防止することができる。
【００１４】
第５の発明の音声処理装置は、第１又は第２の発明の音声処理装置において、外部の表示装置と接続され、前記制御部は、前記第１受信部が、前記第２ルームモードのセットアップメニューの起動を要求するコードを受信した場合、前記表示装置に前記第２ルームモードのセットアップメニューを表示することにより、前記第２ルームモードのセットアップメニューを起動することを特徴とする。
【００１５】
第６の発明の音声処理装置は、第１又は第２の発明の音声処理装置において、表示部をさらに備え、前記制御部は、前記第１受信部が、前記第２ルームモードのセットアップメニューの起動を要求するコードを受信した場合、前記表示部に前記第２ルームモードのセットアップメニューを表示することにより、前記第２ルームモードのセットアップメニューを起動することを特徴とする。
【発明の効果】
【００１６】
本発明によれば、簡易な操作で必要なセットアップを行うことができる。
【図面の簡単な説明】
【００１７】
【図１】本発明の実施形態に係るＡＶレシーバーの構成を示すブロック図である。
【図２】Ｚｏｎｅ２ルームモードのセットアップメニューを示す図である。
【図３】リモコンコードを受信した場合のＡＶレシーバーの処理動作を示すフローチャートである。
【図４】第１変形例におけるＡＶレシーバー等の設置場所を示す図である。
【図５】第２変形例におけるＡＶレシーバー等の設置場所を示す図である。
【発明を実施するための形態】
【００１８】
以下、本発明の実施形態について説明する。図１は、本実施形態に係るＡＶレシーバー１（音声処理装置）の構成を示すブロック図である。ＡＶレシーバー１は、例えば、コンテンツ再生装置であるＤＶＤプレーヤー１００ａ、ＣＤプレーヤー１００ｂ、ゲーム機１００ｃ、ＢＤ（Blu-ray（登録商標） Disc）プレーヤー１００ｄと接続されている。また、ＡＶレシーバー１は、メインスピーカー２００ａ、Ｚｏｎｅ２スピーカー２００ｂと接続されている。ＡＶレシーバー１、ＤＶＤプレーヤー１００ａ、ＣＤプレーヤー１００ｂ、ゲーム機１００ｃ、ＢＤプレーヤー１００ｄは、メインルーム（第１ルーム）に設置されている。Ｚｏｎｅ２スピーカー２００ｂは、メインルームとは別の部屋であるＺｏｎｅ２ルーム（第２ルーム）に設置されている。ＡＶレシーバー１は、メインルームに設置されたＤＶＤプレーヤー１００ａ等から入力された音声信号を増幅し、増幅した音声信号をメインルームに設置されたメインスピーカー２００ａの他、Ｚｏｎｅ２ルームに設置されたＺｏｎｅ２スピーカー２００ｂに出力する機能を有する。以下、メインルームに設置されるメインスピーカー２００ａに音声信号を出力するモードを、メインルームモード（第１ルームモード）、Ｚｏｎｅ２ルームに設置されるＺｏｎｅ２スピーカー２００ｂに音声信号を出力するモードを、Ｚｏｎｅ２ルームモード（第２ルームモード）という。
【００１９】
メインスピーカー２００ａは、例えば、５．１チャンネル（前方左音声信号ＦＬ、前方右音声信号ＦＲ、中央音声信号Ｃ、サラウンド左音声信号ＳＬ、サラウンド右音声信号ＳＲ、サブウーファ音声信号ＳＷ）分、又は、７．１チャンネル分のスピーカーを含む。Ｚｏｎｅ２スピーカー２００ｂは、例えば、２チャンネル（前方左音声信号ＦＬ、前方右音声信号ＦＲ）分のスピーカーを含む。
【００２０】
以下、ＡＶレシーバー１について説明する。なお、ＡＶレシーバー１は、音声信号の他、入力された映像信号をモニター３００に出力することが可能であるが、説明の簡単のため、入力された音声信号をメインスピーカー２００ａ、Ｚｏｎｅ２スピーカー２００ｂに出力する構成のみについて説明する。ＡＶレシーバー１は、マイクロコンピューター２、表示部３、操作部４、アナログ音声入力端子５（５ａ〜５ｃ）、デジタル音声入力端子６、ＤＳＰ（Digital Signal Processor）７、Ｄ／Ａコンバーター８、セレクター９、ボリュームコントローラー１０（１０ａ、１０ｂ）、増幅部１１（１１ａ、１１ｂ）、スピーカー端子１２（１２ａ、１２ｂ）、受信部１３、受信機１４、受信端子１５、ビデオプロセッサー１６、映像出力端子１７を備える。
【００２１】
マイクロコンピューター２（制御部）は、ＣＰＵ（Central Processing Unit）、ＲＯＭ（Read Only Memory）、ＲＡＭ（Random Access Memory）、入出力インターフェース等のハードウェアから構成されている。ＣＰＵは、ＲＯＭに格納された制御プログラムに従って、ＡＶレシーバー１を構成する各部を制御する。
【００２２】
表示部３は、セットアップメニュー、音量レベルなどを表示するものであり、蛍光表示管やＬＥＤ等である。操作部４は、ユーザー操作を受け付けるためのものであり、ＡＶレシーバー１の筐体に設けられた操作ボタンやリモートコンローラー１８である。ユーザーは、操作部４を操作することにより、ＤＶＤプレーヤー１００ａ、ＣＤプレーヤー１００ｂ、テレビ受信機１００ｃ、ＢＤプレーヤー１００ｄから入力される音声信号を、メインスピーカー２００ａ、Ｚｏｎｅ２スピーカー２００ｂのいずれに出力するかをＡＶレシーバー１に指示することが可能である。
【００２３】
アナログ音声入力端子５ａ〜５ｃには、それぞれ、ＤＶＤプレーヤー１００ａ、ＣＤプレーヤー１００ｂ、ゲーム機１００ｃが接続されており、接続されているコンテンツ再生装置が出力するアナログ音声信号が入力される。デジタル音声入力端子６には、ＢＤプレーヤー１００ｄが接続されており、ＢＤプレーヤー１００ｄが出力するデジタル音声信号が入力される。なお、ＡＶレシーバー１が備えるアナログ音声入力端子５、デジタル音声入力端子６の数は、本実施形態で例示する数に限られない。
【００２４】
ＤＳＰ７は、デジタル音声入力端子６から入力されるデジタル音声信号に対して音場処理等を実行する。Ｄ／Ａコンバーター８は、ＤＳＰ７により音場処理等が実行されたデジタル音声信号をアナログ音声信号にＤ／Ａ変換する。セレクター９は、マイクロコンピューター２からの指示に従って、アナログ音声入力端子５ａ〜５ｃ（ＤＶＤプレーヤー１００ａ、ＣＤプレーヤー１００ｂ、ゲーム機１００ｃ）、デジタル音声入力端子６（ＢＤプレーヤー１００ｄ）と、スピーカー端子１２ａ（メインスピーカー２００ａ）、スピーカー端子１２ｂ（Ｚｏｎｅ２スピーカー２００ｂ）と、を接続する。
【００２５】
ボリュームコントローラー１０ａ、１０ｂは、セレクター９によって選択された音声入力端子５、６（コンテンツ再生装置１００）から入力されたアナログ音声信号のボリュームを調整し、増幅部１１ａ、１１ｂに出力する。ボリュームコントローラー１０ａ、１０ｂは、マイクロコンピューター２が決定したボリュームにアナログ音声信号を調整する。増幅部１１ａ、１１ｂは、ボリュームコントローラー１０ａ、１０ｂから出力されたアナログ音声信号を増幅し、スピーカー端子１２ａ、１２ｂに出力する。スピーカー端子１２ａには、メインスピーカー２００ａが接続されており、スピーカー端子１２ａからメインスピーカー２００ａにアナログ音声信号が出力される。メインスピーカー２００ａは、ＡＶレシーバー１から入力されたアナログ音声信号に基づいて、音声を出力する。また、スピーカー端子１２ｂには、Ｚｏｎｅ２スピーカー２００ｂが接続されており、スピーカー端子１２ｂからＺｏｎｅ２スピーカー２００ｂにアナログ音声信号が出力される。Ｚｏｎｅ２スピーカー２００ｂは、ＡＶレシーバー１から入力されたアナログ音声信号に基づいて、音声を出力する。
【００２６】
受信部１３（第１受信部）は、ＡＶレシーバー１の筐体前面に設けられており、リモートコントローラー１８から送信されるリモコンコードを受信する。受信機１４（第２受信部）は、ＡＶレシーバー１の筐体とは別に設けられており、リモートコントローラー１８から送信されるリモコンコードを受信する。また、受信機１４は、Ｚｏｎｅ２ルームに設置されている。また、受信機１４は、受信端子１５に接続されている。受信端子１５は、ＡＶレシーバー１の筐体後面に設けられている。リモートコントローラー１８は、メインルームモードの操作を受け付けるメインルーム操作モード（第１ルーム操作モード）と、Ｚｏｎｅ２ルームモードの操作を受け付けるＺｏｎｅ２ルーム操作モード（第２ルーム操作モード）と、を有する。
【００２７】
ビデオプロセッサー１６は、ＯＳＤ（オンスクリーンディスプレイ）を生成し、モニター３００に出力する。ＯＳＤには、Ｚｏｎｅ２ルームモードのセットアップメニューが含まれる。図２は、Ｚｏｎｅ２セットアップメニューを示す図である。モニター３００は、映像出力端子１７に接続されており、映像出力端子１７から入力される映像信号に基づいて、映像を表示する。
【００２８】
以上のように構成されたＡＶレシーバー１において、マイクロコンピューター２は、受信部１３が、Ｚｏｎｅ２ルームモードのセットアップメニューの起動を要求するコマンドを受信した場合、Ｚｏｎｅ２ルームモードのセットアップメニューを起動する。具体的には、マイクロコンピューター２は、ビデオプロセッサー１６に、Ｚｏｎｅ２ルームモードのセットアップメニューのＯＳＤをモニター３００に出力させ、モニター３００にＺｏｎｅ２ルームモードのセットアップメニューを表示する。又は、マイクロコンピューター２は、表示部３に、Ｚｏｎｅ２ルームモードのセットアップメニューを表示する。
【００２９】
また、マイクロコンピューター２は、受信機１４（受信端子１５）が、Ｚｏｎｅ２ルームモードのセットアップメニューの起動を要求するコマンドを受信した場合、Ｚｏｎｅ２ルームモードのセットアップメニューを起動しない。
【００３０】
以下、リモコンコードを受信した場合のＡＶレシーバー１の処理動作を、図３に示すフローチャートに基づいて説明する。マイクロコンピューター２は、リモコンコードを受信したか否かを判断する（Ｓ１）。マイクロコンピューター２は、リモコンコードを受信していないと判断している間は（Ｓ１：Ｎｏ）、Ｓ１の処理を繰り返し実行する。マイクロコンピューター２は、リモコンコードを受信したと判断した場合（Ｓ１：Ｙｅｓ）、リモコンモードの受信元を記憶する（Ｓ２）。受信部１３がリモコンコードを受信している場合、マイクロコンピューター２は、受信元として、受信部１３を記憶する。また、受信機１４（受信端子１５）がリモコンコードを受信している場合、マイクロコンピューター２は、受信元として、受信機１４を記憶する。
【００３１】
次に、マイクロコンピューター２は、受信したリモコンコードが、メインルーム操作モードに属するか否かを判断する（Ｓ３）。マイクロコンピューター２は、受信したリモコンコードが、メインルーム操作モードに属すると判断した場合（Ｓ３：Ｙｅｓ）、リモコンコードに従った、通常のメインルームモードの処理を実行する（Ｓ４）。マイクロコンピューター２は、受信したリモコンコードが、メインルーム操作モードに属さない、すなわち、Ｚｏｎｅ２ルーム操作モードに属すると判断した場合（Ｓ３：Ｎｏ）、受信したリモコンコードが、Ｚｏｎｅ２ルームモードのセットアップメニューの起動を要求するリモコンコードであるか否かを判断する（Ｓ５）。
【００３２】
マイクロコンピューター２は、受信したリモコンコードが、Ｚｏｎｅ２ルームモードのセットアップメニューの起動を要求するリモコンコードでないと判断した場合（Ｓ５：Ｎｏ）、リモコンコードに従った、通常のＺｏｎｅ２ルームモードの処理を実行する（Ｓ６）。マイクロコンピューター２は、受信したリモコンコードが、Ｚｏｎｅ２ルームモードのセットアップメニューの起動を要求するリモコンコードであると判断した場合（Ｓ５：Ｙｅｓ）、リモコンコードの受信元が、受信部１３であるか否かを判断する（Ｓ７）。マイクロコンピューター２は、リモコンコードの受信元が、受信部１３であると判断した場合（Ｓ７：Ｙｅｓ）、Ｚｏｎｅ２ルームモードのセットアップメニューを起動する（Ｓ８）。
【００３３】
マイクロコンピューター２は、Ｓ４、Ｓ６、又は、Ｓ８の処理の後、Ｓ１の処理を実行する。また、マイクロコンピューター２は、リモコンコードの受信元が、受信部１３でない、すなわち、受信機１４であると判断した場合（Ｓ７：Ｎｏ）、Ｓ１の処理を実行する。従って、マイクロコンピューター２は、受信機１４（受信端子１５）が、Ｚｏｎｅ２ルームモードのセットアップメニューの起動を要求するリモコンコードを受信しても、Ｚｏｎｅ２ルームモードのセットアップメニューを起動しない。ユーザーは、Ｚｏｎｅ２ルームにいて、メインルームにはいないため、Ｚｏｎｅ２ルームモードのセットアップメニューを起動してもユーザーには見えず、無意味だからである。
【００３４】
以上説明したように、本実施形態では、マイクロコンピューター２は、受信部１３が、Ｚｏｎｅ２ルームモードのセットアップメニューの起動を要求するリモコンコードを受信した場合、Ｚｏｎｅ２ルームモードのセットアップメニューを起動する。従って、ユーザーは、操作モードの切り替えを行うことなく、リモートコントローラー１８から、Ｚｏｎｅ２ルームモードのセットアップメニューの起動を要求するリモコンコードを送信し、Ｚｏｎｅ２ルームモードのセットアップメニューを起動することにより、Ｚｏｎｅ２ルームモードのセットアップを行うことができる。このように、本実施形態によれば、簡易な操作で必要なセットアップを行うことができる。
【００３５】
また、本実施形態では、マイクロコンピューター２は、受信機１４が、Ｚｏｎｅ２ルームモードのセットアップメニューの起動を要求するコマンドを受信した場合、Ｚｏｎｅ２ルームモードのセットアップメニューを起動しない。受信機１４が、Ｚｏｎｅ２ルームに設置されており、受信機１４が、Ｚｏｎｅ２ルームモードのセットアップメニューの起動を要求するコマンドを受信した場合、ユーザーは、Ｚｏｎｅ２ルームにいて、メインルームにはいないため、Ｚｏｎｅ２ルームモードのセットアップメニューを起動してもユーザーには見えず、無意味だからである。このように、本実施形態によれば、不要なセットアップメニューの起動を防止することができる。
【００３６】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３７】
上述の実施形態においては、メインルームに、ＡＶレシーバー１、メインスピーカー２００ａ、モニター３００が設置されており、Ｚｏｎｅ２ルームに、受信機１４、Ｚｏｎｅ２スピーカー２００ｂが設置されている場合について説明した。これに替えて、第１変形例では、図４に示すように、メインルームに、受信機１４、メインスピーカー２００ａ、モニター３００が設置されており、Ｚｏｎｅ２ルームに、ＡＶレシーバー１、Ｚｏｎｅ２スピーカー２００ｂが設置されている。この場合、マイクロコンピューター２は、受信部１３が、Ｚｏｎｅ２ルームモードのセットアップメニューの起動を要求するリモコンコードを受信した場合、表示部３にＺｏｎｅ２ルームモードのセットアップメニューを表示することにより、Ｚｏｎｅ２ルームモードのセットアップメニューを起動する。従って、ユーザーは、ＡＶレシーバー１本体の表示部３を確認しながら、Ｚｏｎｅ２ルームモードのセットアップを行うことができる。
【００３８】
また、第２変形例では、図５に示すように、メインルームに、受信機１４、メインスピーカー２００ａ、モニター３００が設置されており、Ｚｏｎｅ２ルームに、Ｚｏｎｅ２スピーカー２００ｂ、受信機１９（第３受信部）が設置されており、ラック内に、ＡＶレシーバー１が設置されている。ＡＶレシーバー１は、筐体前面がラックに覆われているため、受信部１３が遮蔽されている。従って、ＡＶレシーバー１本体では、リモートコントローラー１８から送信されるリモコンコードを受信することはできない。
【００３９】
マイクロコンピューター２は、メインルームに設置された受信機１４が、Ｚｏｎｅ２ルームモードのセットアップメニューの起動を要求するリモコンコードを受信した場合、メインルームに設置されたモニター３００にＺｏｎｅ２ルームモードのセットアップメニューを表示することにより、Ｚｏｎｅ２ルームモードのセットアップメニューを起動する。従って、ユーザーは、メインルームに設置されたモニター３００を確認しながら、Ｚｏｎｅ２ルームモードのセットアップを行うことができる。
【００４０】
また、マイクロコンピューター２は、Ｚｏｎｅ２ルームに設置された受信機１９が、Ｚｏｎｅ２ルームモードのセットアップメニューの起動を要求するコードを受信した場合、Ｚｏｎｅ２ルームモードのセットアップメニューを起動しない。Ｚｏｎｅ２ルームに設置された受信機１９が、Ｚｏｎｅ２ルームモードのセットアップメニューの起動を要求するコマンドを受信した場合、ユーザーは、Ｚｏｎｅ２ルームにいて、メインルームにはいないため、Ｚｏｎｅ２ルームモードのセットアップメニューを起動してもユーザーには見えず、無意味だからである。このように、本実施形態によれば、不要なセットアップメニューの起動を防止することができる。
【００４１】
上述の実施形態においては、音声処理装置として、ＡＶレシーバーを例示した。これに限らず、他の音声処理装置であってもよい。
【産業上の利用可能性】
【００４２】
本発明は、音声信号に増幅等の音声処理を行う音声処理装置に好適に採用され得る。
【符号の説明】
【００４３】
１  ＡＶレシーバー（音声処理装置）
２  マイクロコンピューター（制御部）
３  表示部
１３  受信部（第１受信部）
１４  受信機（第２受信部）
１５  受信端子
１８  リモートコントローラー
１９  受信機（第３受信部）
【図１】
2016225763.tif 000003
【図２】
2016225763.tif 000004
【図３】
2016225763.tif 000005
【図４】
2016225763.tif 000006
【図５】
2016225763.tif 000007